(57)【要約】【課題】  地震などの非常時や旅行などに容易に持ち出したり、携帯することのできる、手提袋やタオルで形成した圧縮固化布製品を提供する。また、より実用的な圧縮固化布製品を提供する。【解決手段】  袋本体３の上端部に持ち手４を設けた布製の手提袋２を、複数回にわたって折り畳み、持ち手の先端部４ａを、袋本体３から突出させた状態で、柱体の形状に圧縮固化し、持ち手の先端部４ａをその外表面に配置する。また、袋本体３の上端部に持ち手４を設け、所定形状に折り畳んだ布製の手提袋２に、タオル５を重ね、さらに複数回にわたって折り畳み、持ち手の先端部４ａを、袋本体３とタオル５から突出させた状態で、柱体の形状に圧縮固化し、持ち手の先端部４ａをその外表面に配置する。【選択図】      図１
0003133175.tif 000002
【実用新案登録請求の範囲】
【請求項１】
袋本体（３）の上端部に持ち手（４）を設けた布製の手提袋（２）を、複数回にわたって折り畳み、前記持ち手の先端部（４ａ）を、前記袋本体から突出させた状態で、所定形状に圧縮固化し、前記持ち手の先端部をその外表面に配置してなる圧縮固化布製品。
【請求項２】
袋本体（３）の上端部に持ち手（４）を設け、所定形状に折り畳んだ布製の手提袋（２）に、タオル（５）を重ね、さらに複数回にわたって折り畳み、前記持ち手の先端部（４ａ）を、前記袋本体とタオルから突出させた状態で、所定形状に圧縮固化し、前記持ち手の先端部をその外表面に配置してなる圧縮固化布製品。
【請求項３】
袋本体（３）の上端部に持ち手（４）を設けた布製の手提袋（２）を、複数回にわたって折り畳み、前記持ち手の先端部（４ａ）を、前記袋本体から突出させた状態で、角柱形状に圧縮固化し、前記持ち手の先端部をその外表面に配置してなる圧縮固化布製品。
【請求項４】
袋本体（３）の上端部に持ち手４を設け、所定形状に折り畳んだ布製の手提袋（２）に、タオル（５）を重ね、さらに複数回にわたって折り畳み、前記持ち手の先端部（４ａ）を、前記袋本体とタオルから突出させた状態で、角柱形状に圧縮固化し、前記持ち手の先端部をその外表面に配置してなる圧縮固化布製品。
【請求項５】
袋本体（３）の上端部に持ち手（４）を設けた布製の手提袋（２）を、複数回にわたって折り畳み、前記持ち手の先端部（４ａ）を、前記袋本体から突出させた状態で、円柱形状に圧縮固化し、前記持ち手の先端部をその外表面に配置してなる圧縮固化布製品。
【請求項６】
袋本体（３）の上端部に持ち手（４）を設け、所定形状に折り畳んだ布製の手提袋（２）に、タオル（５）を重ね、さらに複数回にわたって折り畳み、前記持ち手の先端部（４ａ）を、前記袋本体とタオルから突出させた状態で、円柱形状に圧縮固化し、前記持ち手の先端部をその外表面に配置してなる圧縮固化布製品。
【考案の詳細な説明】
【技術分野】
【０００１】
本考案は、手提袋のみ、および手提袋とタオルとを圧縮して固化し、非常用や旅行などに便利なように形成した圧縮固化布製品に関するものである。
【背景技術】
【０００２】
例えば、地震などの災害時には、手荷物を収納したり、持ち運んだりするための手提袋が必要となり、また、あらゆる用途に用いることのできるタオルも必需品である。
【０００３】
また、例えば、旅行に出掛け、その地で沢山の土産品を購入した場合、それらを一つにまとめたい場合があり、そうした場合には手提袋があれば便利である。また、旅先では、思いがけず雨に打たれるなど、予期せぬ事態に遭遇することが多々あるため、余分にタオルを携帯すると便利である。
【０００４】
従って、こうした場合に使用するための手提袋やタオルを常備しておくことが好ましい。また、これらの手提袋やタオルは、収納や携帯に便利なように、小さくまとめられていると便利である。
【考案の開示】
【考案が解決しようとする課題】
【０００５】
しかし、通常の一般家庭などでは、手提袋とタオルはそのままの大きさや、適当に折り畳んだ状態で収納されているため、そのまま持ち出すと嵩張る。従って、例えば、地震などの緊急を要する非常時や旅行などに、手提袋やタオルを持ち出すと大きな荷物となってしまい、負担となる。
【０００６】
本考案はこうした問題に鑑み創案されたもので、地震などの非常時や旅行などに容易に持ち出したり、携帯することのできる、手提袋やタオルで形成した圧縮固化布製品を提供することを課題とする。また、より実用的な圧縮固化布製品を提供することも課題とする。
【課題を解決するための手段】
【０００７】
図１乃至図９を参照して説明する。請求項１に記載の圧縮固化布製品１は、袋本体３の上端部に持ち手４を設けた布製の手提袋２を、複数回にわたって折り畳み、前記持ち手の先端部４ａを、前記袋本体３から突出させた状態で、所定形状に圧縮固化し、前記持ち手の先端部４ａをその外表面に配置してなるものである。
【０００８】
請求項２に記載の圧縮固化布製品１は、袋本体３の上端部に持ち手４を設け、所定形状に折り畳んだ布製の手提袋２に、タオル５を重ね、さらに複数回にわたって折り畳み、前記持ち手の先端部４ａを、前記袋本体３とタオル５から突出させた状態で、所定形状に圧縮固化し、前記持ち手の先端部４ａをその外表面に配置してなるものである。
【０００９】
請求項３に記載の圧縮固化布製品１は、袋本体３の上端部に持ち手４を設けた布製の手提袋２を、複数回にわたって折り畳み、前記持ち手の先端部４ａを、前記袋本体３から突出させた状態で、角柱形状に圧縮固化し、前記持ち手の先端部４ａをその外表面に配置してなるものである。
【００１０】
請求項４に記載の圧縮固化布製品１は、袋本体３の上端部に持ち手４を設け、所定形状に折り畳んだ布製の手提袋２に、タオル５を重ね、さらに複数回にわたって折り畳み、前記持ち手の先端部４ａを、前記袋本体３とタオル５から突出させた状態で、角柱形状に圧縮固化し、前記持ち手の先端部４ａをその外表面に配置してなるものである。
【００１１】
請求項５に記載の圧縮固化布製品１は、袋本体３の上端部に持ち手４を設けた布製の手提袋２を、複数回にわたって折り畳み、前記持ち手の先端部４ａを、前記袋本体３から突出させた状態で、円柱形状に圧縮固化し、前記持ち手の先端部４ａをその外表面に配置してなるものである。
【００１２】
請求項６に記載の圧縮固化布製品１は、袋本体３の上端部に持ち手４を設け、所定形状に折り畳んだ布製の手提袋２に、タオル５を重ね、さらに複数回にわたって折り畳み、前記持ち手の先端部４ａを、前記袋本体３とタオル５から突出させた状態で、円柱形状に圧縮固化し、前記持ち手の先端部４ａをその外表面に配置してなるものである。
【考案の効果】
【００１３】
請求項１、３および５に記載の圧縮固化布製品１は、袋本体３の上端部に持ち手４を設けた布製の手提袋２を、複数回にわたって折り畳み、所定形状に圧縮固化しているので、通常の手提袋２と比較して大幅に小型化することができる。従って、嵩張らず、非常時や旅行などに容易に持ち出したり、携帯することができる。
【００１４】
また、持ち手の先端部４ａをその外表面に配置しているので、当該持ち手の先端部４ａのみを引き出して持つことができる。従って、手に持って携帯する場合に極めて便利である。また、この持ち手の先端部４ａを、さらに母線方向に引っ張るＰことにより、最後の折重ね面Ｓに沿って圧縮固化布製品１を解いて、手提袋２の形状に戻すことができるので、使用勝手に優れ、極めて実用的である。
【００１５】
請求項２、４および６に記載の圧縮固化布製品１は、袋本体３の上端部に持ち手４を設け、所定形状に折り畳んだ手提袋２に、タオル５を重ね、さらに複数回にわたって折り畳み、所定形状に圧縮固化しているので、通常の手提袋２およびタオル５と比較して大幅に小型化することができる。従って、嵩張らず、非常時や旅行などに容易に持ち出したり、携帯することができる。
【００１６】
また、手提袋２の持ち手の先端部４ａをその外表面に配置しているので、当該持ち手の先端部４ａのみを引き出して持つことができる。従って、この圧縮固化布製品１を手に持って携帯する場合に極めて便利である。また、この持ち手の先端部４ａを、さらに引っ張ることによって当該圧縮固化布製品１を解いて手提袋２とタオル５の形状に戻すことができるので、使用勝手に優れ、極めて実用的である。
【００１７】
なお、請求項３および４に記載の圧縮固化布製品１は角柱形状に形成しているので、例えば、平面矩形状の旅行カバンなどに効率的に収納して持ち運ぶことができる。また、六面を有し、意匠性にも優れる。
【００１８】
また、請求項５および６に記載の圧縮固化布製品１は円柱形状に形成しているので、例えば、平面円形状の旅行カバンなどに効率的に収納して持ち運ぶことができる。また、円柱形状独特の意匠性を備えており、見栄えに優れる。
【考案を実施するための最良の形態】
【００１９】
本発明に係る圧縮固化布製品１の第一実施形態を、図１および図２に示す。これは、袋本体３の上端部に持ち手４を設けた布製の手提袋２を、所定方向に複数回にわたって折り畳み、持ち手の先端部４ａを、袋本体３から突出させた状態でプレス機で圧縮固化して、角柱形状に形成したものである。そして、持ち手の先端部４ａを、当該圧縮固化布製品１の外表面に配置している。
【００２０】
この圧縮固化布製品１は、所定形状に折り畳んだ手提袋２を圧縮固化しているので小型化され、嵩張らず、よって、非常時や旅行などに容易に持ち出したり携帯することができる。
【００２１】
また、持ち手の先端部４ａをその外表面に配置しているので、図３に示すように、当該持ち手の先端部４ａのみを引き出して持つことができる。従って、手に持って携帯する場合に極めて便利である。
【００２２】
また、この持ち手の先端部４ａを、さらに母線方向に引っ張るＰことにより、最後の折重ね面Ｓに沿って圧縮固化布製品１を解いて、手提袋２の形状に戻すことができるので、使用勝手に優れ、極めて実用的である。
【００２３】
この圧縮固化布製品１を形成する手提袋２は、図４に示す順序で折り畳んでいる。すなわち、まず、原形の手提袋２の下端部を上方に折り畳んだ後、上端部を下方に折り畳んで上下方向に三つ折りにする（（ａ）（ｂ）（ｃ））。次に、左右両端部を内方に折り畳んだ後、さらに内方に折り畳む（（ｄ）（ｅ）（ｆ））。続いて、下方に突出している持ち手４を上方に折り畳んだ後、さらに左右両端部を内方に折り畳む（（ｇ）（ｈ）。これにより、持ち手の先端部４ａが上方に突出した形態とし、プレス機で圧縮固化することによって、当該持ち手の先端部４ａを圧縮固化布製品１の外表面に配置する。
【００２４】
本発明に係る圧縮固化布製品１の第二実施形態を、図５および図６に示す。これは、袋本体３の上端部に持ち手４を設けた布製の手提袋２を、所定形状に折り畳んだ後、それに所定形状に折り畳んだタオル５を重ね、その重合物をさらに複数回にわたって折り畳み、持ち手の先端部４ａを、袋本体３とタオル５の重合物から突出させた状態で、プレス機で角柱形状に圧縮固化したものである。
【００２５】
これにより、持ち手の先端部４ａを、当該圧縮固化布製品１の外表面に配置している。なお、この圧縮固化布製品１は、その上面（図５参照）と底面（図６参照）に手提袋２が視覚され、その一側面に部分的に持ち手の先端部４ａが視覚され、残りの部分はタオル５が視覚される。
【００２６】
本実施形態に係る圧縮固化布製品１も、手提袋２とタオル５を圧縮固化しているので小型化され、従って、嵩張らず、非常時や旅行などに容易に持ち出したり、携帯することができる。
【００２７】
また、持ち手の先端部４ａをその外表面に配置しているので、図３で示した形態と同じように、当該持ち手の先端部４ａのみを引き出して持つことができる。従って、手に持って携帯する場合に極めて便利である。
【００２８】
また、この持ち手の先端部４ａを、さらに引っ張ることによって当該圧縮固化布製品１を解いて、手提袋２とタオル５をそれぞれの形状に戻すことができるので、使用勝手に優れ、極めて実用的である。
【００２９】
なお、本実施形態に係る圧縮固化布製品１は、図７に示すように、まず、原形の手提袋２の下端部を上方に折り畳んだ後、上端部を下方に折り畳んで上下方向に三つ折りにする（（ａ）（ｂ）（ｃ））。それと共に、図８（イ）（ロ）（ハ）に示すように、タオル５を上下方向に三つ折りにする。
【００３０】
次に、三つ折りにした手提袋２の左右両端部を内方に折り畳むんだ後に、当該手提袋２とタオル５を重ねる（（ｄ）（ｅ））。続いて、手提袋２とタオル５の重合物を、さらに内方に折り畳む（（ｆ））。そして、下方に突出している持ち手４を上方に折り畳んだ後、さらに左右両端部を内方に折り畳む（（ｇ）（ｈ）。これにより、持ち手の先端部４ａが上方に突出した形態とし、プレス機で圧縮固化することによって、当該持ち手の先端部４ａを圧縮固化布製品１の外表面に配置する。
【００３１】
なお、第一実施形態および第二実施形態に係る圧縮固化布製品１は、共に、角柱形状に形成しているが、本発明はこれに限定されず、例えば、図９に示すような円柱形状や、その他の形状（三角柱形状など）に形成することができる。
【００３２】
また、図１に示すように、圧縮固化製品１の表面に、プレス機で圧縮固化する際に、文字や図形などの模様６を現出させることもできる。
【図面の簡単な説明】
【００３３】
【図１】本発明の第一実施形態に係る圧縮固化布製品を示す斜視図である。
【図２】図１に示す圧縮固化布製品の側面図である。
【図３】図１に示す圧縮固化布製品の持ち手の先端部を引き出した状態を示す斜視図である。
【図４】図１に示す圧縮固化布製品における手提袋の折り畳み手順を示す説明図である。
【図５】本発明の第二実施形態に係る圧縮固化布製品を示す斜視図である。
【図６】図５に示す圧縮固化布製品の底面図である。
【図７】図５に示す圧縮固化布製品における手提袋とタオルの折り畳み手順を示す説明図である。
【図８】図５に示す圧縮固化布製品におけるタオルの折り畳み手順を示す説明図である。
【図９】本発明に係る圧縮固化布製品の他の態様を示す斜視図である。
【符号の説明】
【００３４】
１      圧縮固化布製品
２      手提袋
３      袋本体
４      持ち手
４ａ    持ち手の先端部
５      タオル
６      模様
Ｓ      最後の折重ね面
【図１】
0003133175.tif 000003
【図２】
0003133175.tif 000004
【図３】
0003133175.tif 000005
【図４】
0003133175.tif 000006
【図５】
0003133175.tif 000007
【図６】
0003133175.tif 000008
【図７】
0003133175.tif 000009
【図８】
0003133175.tif 000010
【図９】
0003133175.tif 000011
【手続補正書】
【提出日】平成19年4月27日(2007.4.27)
【手続補正１】
【補正対象書類名】実用新案登録請求の範囲
【補正対象項目名】請求項３
【補正方法】変更
【補正の内容】
【請求項３】
袋本体（３）の上端部に持ち手（４）を設けた布製の手提袋（２）を、複数回にわたって折り畳み、前記持ち手の先端部（４ａ）を、前記袋本体から突出させた状態で、角柱体の形状に圧縮固化し、前記持ち手の先端部をその外表面に配置してなる圧縮固化布製品。
【手続補正２】
【補正対象書類名】実用新案登録請求の範囲
【補正対象項目名】請求項４
【補正方法】変更
【補正の内容】
【請求項４】
袋本体（３）の上端部に持ち手４を設け、所定形状に折り畳んだ布製の手提袋（２）に、タオル（５）を重ね、さらに複数回にわたって折り畳み、前記持ち手の先端部（４ａ）を、前記袋本体とタオルから突出させた状態で、角柱体の形状に圧縮固化し、前記持ち手の先端部をその外表面に配置してなる圧縮固化布製品。
【手続補正３】
【補正対象書類名】実用新案登録請求の範囲
【補正対象項目名】請求項５
【補正方法】変更
【補正の内容】
【請求項５】
袋本体（３）の上端部に持ち手（４）を設けた布製の手提袋（２）を、複数回にわたって折り畳み、前記持ち手の先端部（４ａ）を、前記袋本体から突出させた状態で、円柱体の形状に圧縮固化し、前記持ち手の先端部をその外表面に配置してなる圧縮固化布製品。
【手続補正４】
【補正対象書類名】実用新案登録請求の範囲
【補正対象項目名】請求項６
【補正方法】変更
【補正の内容】
【請求項６】
袋本体（３）の上端部に持ち手（４）を設け、所定形状に折り畳んだ布製の手提袋（２）に、タオル（５）を重ね、さらに複数回にわたって折り畳み、前記持ち手の先端部（４ａ）を、前記袋本体とタオルから突出させた状態で、円柱体の形状に圧縮固化し、前記持ち手の先端部をその外表面に配置してなる圧縮固化布製品。
【手続補正５】
【補正対象書類名】明細書
【補正対象項目名】全文
【補正方法】変更
【補正の内容】
【考案の詳細な説明】
【技術分野】
【０００１】
本考案は、手提袋のみ、および手提袋とタオルとを圧縮して固化し、非常用や旅行などに便利なように形成した圧縮固化布製品に関するものである。
【背景技術】
【０００２】
例えば、地震などの災害時には、手荷物を収納したり、持ち運んだりするための手提袋が必要となり、また、あらゆる用途に用いることのできるタオルも必需品である。
【０００３】
また、例えば、旅行に出掛け、その地で沢山の土産品を購入した場合、それらを一つにまとめたい場合があり、そうした場合には手提袋があれば便利である。また、旅先では、思いがけず雨に打たれるなど、予期せぬ事態に遭遇することが多々あるため、余分にタオルを携帯すると便利である。
【０００４】
従って、こうした場合に使用するための手提袋やタオルを常備しておくことが好ましい。また、これらの手提袋やタオルは、収納や携帯に便利なように、小さくまとめられていると便利である。
【考案の開示】
【考案が解決しようとする課題】
【０００５】
しかし、通常の一般家庭などでは、手提袋とタオルはそのままの大きさや、適当に折り畳んだ状態で収納されているため、そのまま持ち出すと嵩張る。従って、例えば、地震などの緊急を要する非常時や旅行などに、手提袋やタオルを持ち出すと大きな荷物となってしまい、負担となる。
【０００６】
本考案はこうした問題に鑑み創案されたもので、地震などの非常時や旅行などに容易に持ち出したり、携帯することのできる、手提袋やタオルで形成した圧縮固化布製品を提供することを課題とする。また、より実用的な圧縮固化布製品を提供することも課題とする。
【課題を解決するための手段】
【０００７】
図１乃至図９を参照して説明する。請求項１に記載の圧縮固化布製品１は、袋本体３の上端部に持ち手４を設けた布製の手提袋２を、複数回にわたって折り畳み、前記持ち手の先端部４ａを、前記袋本体３から突出させた状態で、柱体の形状に圧縮固化し、前記持ち手の先端部４ａをその外表面に配置してなるものである。
【０００８】
請求項２に記載の圧縮固化布製品１は、袋本体３の上端部に持ち手４を設け、所定形状に折り畳んだ布製の手提袋２に、タオル５を重ね、さらに複数回にわたって折り畳み、前記持ち手の先端部４ａを、前記袋本体３とタオル５から突出させた状態で、柱体の形状に圧縮固化し、前記持ち手の先端部４ａをその外表面に配置してなるものである。
【０００９】
請求項３に記載の圧縮固化布製品１は、袋本体３の上端部に持ち手４を設けた布製の手提袋２を、複数回にわたって折り畳み、前記持ち手の先端部４ａを、前記袋本体３から突出させた状態で、角柱体の形状に圧縮固化し、前記持ち手の先端部４ａをその外表面に配置してなるものである。
【００１０】
請求項４に記載の圧縮固化布製品１は、袋本体３の上端部に持ち手４を設け、所定形状に折り畳んだ布製の手提袋２に、タオル５を重ね、さらに複数回にわたって折り畳み、前記持ち手の先端部４ａを、前記袋本体３とタオル５から突出させた状態で、角柱体の形状に圧縮固化し、前記持ち手の先端部４ａをその外表面に配置してなるものである。
【００１１】
請求項５に記載の圧縮固化布製品１は、袋本体３の上端部に持ち手４を設けた布製の手提袋２を、複数回にわたって折り畳み、前記持ち手の先端部４ａを、前記袋本体３から突出させた状態で、円柱体の形状に圧縮固化し、前記持ち手の先端部４ａをその外表面に配置してなるものである。
【００１２】
請求項６に記載の圧縮固化布製品１は、袋本体３の上端部に持ち手４を設け、所定形状に折り畳んだ布製の手提袋２に、タオル５を重ね、さらに複数回にわたって折り畳み、前記持ち手の先端部４ａを、前記袋本体３とタオル５から突出させた状態で、円柱体の形状に圧縮固化し、前記持ち手の先端部４ａをその外表面に配置してなるものである。
【考案の効果】
【００１３】
請求項１、３および５に記載の圧縮固化布製品１は、袋本体３の上端部に持ち手４を設けた布製の手提袋２を、複数回にわたって折り畳み、柱体の形状に圧縮固化しているので、通常の手提袋２と比較して大幅に小型化することができる。従って、嵩張らず、非常時や旅行などに容易に持ち出したり、携帯することができる。
【００１４】
また、持ち手の先端部４ａをその外表面に配置しているので、当該持ち手の先端部４ａのみを引き出して持つことができる。従って、手に持って携帯する場合に極めて便利である。また、この持ち手の先端部４ａを、さらに母線方向に引っ張るＰことにより、最後の折重ね面Ｓに沿って圧縮固化布製品１を解いて、手提袋２の形状に戻すことができるので、使用勝手に優れ、極めて実用的である。
【００１５】
請求項２、４および６に記載の圧縮固化布製品１は、袋本体３の上端部に持ち手４を設け、所定形状に折り畳んだ手提袋２に、タオル５を重ね、さらに複数回にわたって折り畳み、柱体の形状に圧縮固化しているので、通常の手提袋２およびタオル５と比較して大幅に小型化することができる。従って、嵩張らず、非常時や旅行などに容易に持ち出したり、携帯することができる。
【００１６】
また、手提袋２の持ち手の先端部４ａをその外表面に配置しているので、当該持ち手の先端部４ａのみを引き出して持つことができる。従って、この圧縮固化布製品１を手に持って携帯する場合に極めて便利である。また、この持ち手の先端部４ａを、さらに引っ張ることによって当該圧縮固化布製品１を解いて手提袋２とタオル５の形状に戻すことができるので、使用勝手に優れ、極めて実用的である。
【００１７】
なお、請求項３および４に記載の圧縮固化布製品１は角柱体の形状に形成しているので、例えば、平面矩形状の旅行カバンなどに効率的に収納して持ち運ぶことができる。また、六面を有し、意匠性にも優れる。
【００１８】
また、請求項５および６に記載の圧縮固化布製品１は円柱体の形状に形成しているので、例えば、平面円形状の旅行カバンなどに効率的に収納して持ち運ぶことができる。また、円柱形状独特の意匠性を備えており、見栄えに優れる。
【考案を実施するための最良の形態】
【００１９】
本発明に係る圧縮固化布製品１の第一実施形態を、図１および図２に示す。これは、袋本体３の上端部に持ち手４を設けた布製の手提袋２を、所定方向に複数回にわたって折り畳み、持ち手の先端部４ａを、袋本体３から突出させた状態でプレス機で圧縮固化して、角柱体の形状に形成したものである。そして、持ち手の先端部４ａを、当該圧縮固化布製品１の外表面に配置している。
【００２０】
この圧縮固化布製品１は、所定形状に折り畳んだ手提袋２を圧縮固化しているので小型化され、嵩張らず、よって、非常時や旅行などに容易に持ち出したり携帯することができる。
【００２１】
また、持ち手の先端部４ａをその外表面に配置しているので、図３に示すように、当該持ち手の先端部４ａのみを引き出して持つことができる。従って、手に持って携帯する場合に極めて便利である。
【００２２】
また、この持ち手の先端部４ａを、さらに母線方向に引っ張るＰことにより、最後の折重ね面Ｓに沿って圧縮固化布製品１を解いて、手提袋２の形状に戻すことができるので、使用勝手に優れ、極めて実用的である。
【００２３】
この圧縮固化布製品１を形成する手提袋２は、図４に示す順序で折り畳んでいる。すなわち、まず、原形の手提袋２の下端部を上方に折り畳んだ後、上端部を下方に折り畳んで上下方向に三つ折りにする（（ａ）（ｂ）（ｃ））。次に、左右両端部を内方に折り畳んだ後、さらに内方に折り畳む（（ｄ）（ｅ）（ｆ））。続いて、下方に突出している持ち手４を上方に折り畳んだ後、さらに左右両端部を内方に折り畳む（（ｇ）（ｈ）。これにより、持ち手の先端部４ａが上方に突出した形態とし、プレス機で圧縮固化することによって、当該持ち手の先端部４ａを圧縮固化布製品１の外表面に配置する。
【００２４】
本発明に係る圧縮固化布製品１の第二実施形態を、図５および図６に示す。これは、袋本体３の上端部に持ち手４を設けた布製の手提袋２を、所定形状に折り畳んだ後、それに所定形状に折り畳んだタオル５を重ね、その重合物をさらに複数回にわたって折り畳み、持ち手の先端部４ａを、袋本体３とタオル５の重合物から突出させた状態で、プレス機で角柱体の形状に圧縮固化したものである。
【００２５】
これにより、持ち手の先端部４ａを、当該圧縮固化布製品１の外表面に配置している。なお、この圧縮固化布製品１は、その上面（図５参照）と底面（図６参照）に手提袋２が視覚され、その一側面に部分的に持ち手の先端部４ａが視覚され、残りの部分はタオル５が視覚される。
【００２６】
本実施形態に係る圧縮固化布製品１も、手提袋２とタオル５を圧縮固化しているので小型化され、従って、嵩張らず、非常時や旅行などに容易に持ち出したり、携帯することができる。
【００２７】
また、持ち手の先端部４ａをその外表面に配置しているので、図３で示した形態と同じように、当該持ち手の先端部４ａのみを引き出して持つことができる。従って、手に持って携帯する場合に極めて便利である。
【００２８】
また、この持ち手の先端部４ａを、さらに引っ張ることによって当該圧縮固化布製品１を解いて、手提袋２とタオル５をそれぞれの形状に戻すことができるので、使用勝手に優れ、極めて実用的である。
【００２９】
なお、本実施形態に係る圧縮固化布製品１は、図７に示すように、まず、原形の手提袋２の下端部を上方に折り畳んだ後、上端部を下方に折り畳んで上下方向に三つ折りにする（（ａ）（ｂ）（ｃ））。それと共に、図８（イ）（ロ）（ハ）に示すように、タオル５を上下方向に三つ折りにする。
【００３０】
次に、三つ折りにした手提袋２の左右両端部を内方に折り畳むんだ後に、当該手提袋２とタオル５を重ねる（（ｄ）（ｅ））。続いて、手提袋２とタオル５の重合物を、さらに内方に折り畳む（（ｆ））。そして、下方に突出している持ち手４を上方に折り畳んだ後、さらに左右両端部を内方に折り畳む（（ｇ）（ｈ）。これにより、持ち手の先端部４ａが上方に突出した形態とし、プレス機で圧縮固化することによって、当該持ち手の先端部４ａを圧縮固化布製品１の外表面に配置する。
【００３１】
なお、第一実施形態および第二実施形態に係る圧縮固化布製品１は、共に、角柱体の形状に形成しているが、本発明はこれに限定されず、例えば、図９に示すような円柱体の形状や、その他の形状（三角柱体の形状など）に形成することができる。
【００３２】
また、図１に示すように、圧縮固化製品１の表面に、プレス機で圧縮固化する際に、文字や図形などの模様６を現出させることもできる。
【図面の簡単な説明】
【００３３】
【図１】本発明の第一実施形態に係る圧縮固化布製品を示す斜視図である。
【図２】図１に示す圧縮固化布製品の側面図である。
【図３】図１に示す圧縮固化布製品の持ち手の先端部を引き出した状態を示す斜視図である。
【図４】図１に示す圧縮固化布製品における手提袋の折り畳み手順を示す説明図である。
【図５】本発明の第二実施形態に係る圧縮固化布製品を示す斜視図である。
【図６】図５に示す圧縮固化布製品の底面図である。
【図７】図５に示す圧縮固化布製品における手提袋とタオルの折り畳み手順を示す説明図である。
【図８】図５に示す圧縮固化布製品におけるタオルの折り畳み手順を示す説明図である。
【図９】本発明に係る圧縮固化布製品の他の態様を示す斜視図である。
【符号の説明】
【００３４】
１      圧縮固化布製品
２      手提袋
３      袋本体
４      持ち手
４ａ    持ち手の先端部
５      タオル
６      模様
Ｓ      最後の折重ね面
【手続補正書】
【提出日】平成19年4月27日(2007.4.27)
【手続補正１】
【補正対象書類名】実用新案登録請求の範囲
【補正対象項目名】請求項１
【補正方法】変更
【補正の内容】
【請求項１】
袋本体（３）の上端部に持ち手（４）を設けた布製の手提袋（２）を、複数回にわたって折り畳み、前記持ち手の先端部（４ａ）を、前記袋本体から突出させた状態で、柱体の形状に圧縮固化し、前記持ち手の先端部をその外表面に配置してなる圧縮固化布製品。
【手続補正２】
【補正対象書類名】実用新案登録請求の範囲
【補正対象項目名】請求項２
【補正方法】変更
【補正の内容】
【請求項２】
袋本体（３）の上端部に持ち手（４）を設け、所定形状に折り畳んだ布製の手提袋（２）に、タオル（５）を重ね、さらに複数回にわたって折り畳み、前記持ち手の先端部（４ａ）を、前記袋本体とタオルから突出させた状態で、柱体の形状に圧縮固化し、前記持ち手の先端部をその外表面に配置してなる圧縮固化布製品。